(57)【要約】【課題】本発明は、鉤状のフック部に沿って餌を通して取り付ける方法に代わり、餌の取り付けの容易なジグヘッドを提供する。【解決手段】釣針の針先側から見た釣針軸部の近傍に該軸部に平行で基部が前記錘に埋め込まれ餌保持用のカエシを備えた２本の直線状の餌針を設けた餌針付きジグヘッド。【選択図】図２
2013111076.tif 000002
【特許請求の範囲】
【請求項１】
釣針の針先部が軸部に対して上向き又は下向きの状態で、該軸部の基部が軸心が上下方向の錘に垂直に埋め込まれて、釣針と錘が一体となったジグヘッドであって、前記軸部の近傍に該軸部に平行で基部が前記錘に埋め込まれた餌保持用の２本の直線状の餌針を設けたことを特徴とする餌針付きジグヘッド。
【請求項２】
前記２本の餌針のいずれか一方又は両方に１ケ又は複数の餌抜止用のカエシを設け、該カエシが該餌針軸周りの位置において、対向する他方の餌針又は前記釣針軸部のいずれかの方向に向けて設けられたことを特徴とする請求項１に記載の餌針付きジグヘッド。
【請求項３】
前記釣針の軸部と前記２本の餌針とが前記錘の軸心を含む平面内にあることを特徴とする請求項１又は請求項２に記載の餌針付きジグヘッド。
【請求項４】
前記２本の餌針が、前記錘の軸心に垂直な平面内にあることを特徴とする請求項１又は請求項２に記載の餌針付きジグヘッド。
【請求項５】
前記軸心が鉛直な錘の上部及び下部に釣糸係止用環を設けたことを特徴とする請求項１〜請求項４のいずれかに記載の餌針付きジグヘッド。
【請求項６】
前記錘は、本体部が中心軸に垂直な断面において底辺が他の２辺より短辺の２等辺三角形の柱状で、該本体部前方に頂点を有する略三角錐の底面が前記本体部軸方向前部と段差なく結合した形状であることを特徴とする請求項１〜請求項５のいずれかに記載の餌針付きジグヘッド。
【発明の詳細な説明】
【技術分野】
【０００１】  本発明は主としてルアー釣りに用いるジグヘッドに関する。
【背景技術】
【０００２】  従来、魚釣りにおいて釣針に餌を取り付ける方法は、鉤（曲線）状のフック部に沿って餌を通して取り付けるのが一般的な方法である。さらに、餌の固定や保持の目的で補助的手段を設けた種々の例があり、釣針の基部に突起部を設けた例（例えば特許文献１参照）、釣針の軸側に先端に鉤部を備えた保持ピンを設けた例（例えば特許文献２参照）がある。また、餌の取り付けの容易性を目的として釣針の軸側に平行に直線状の針を設けた例（例えば特許文献３、特許文献４参照）がある。
【先行技術文献】
【特許文献】
【０００３】
【特許文献１】実用新案登録第３１２０７５１号公報（第５頁、第１図）
【特許文献２】特開平１１−２９９３９４号公報（第４頁、第３図）
【特許文献３】実開平６−３３４６５号公報（第２頁、第１図）
【特許文献４】実用新案登録第３０９９８４５号公報（第３頁、第１図）
【発明の概要】
【発明が解決しようとする課題】
【０００４】  特許文献１の釣針の基部に突起部を設けた例や特許文献２の釣針の軸側に先端に鉤部を備えた保持ピンを設けた例では、鉤（曲線）状のフック部に沿って餌を曲げながら通して取り付けるので、餌の取り付けの容易性に難がある。特許文献３の例は、釣針の軸側に平行に直線状の針を設けた例であるが、餌の抜け止めと姿勢保持のため針の軸に係止部を設け金属線で巻きつけるなどするので取り扱いが煩雑である。特許文献４の例は、これも釣針の軸側に平行に先端にカエシを備えた直線状の針を設けた例であるが、この例ではこの直線状針に餌を通しただけでは針の周りに回転して餌の姿勢を保てないという欠点がある。また、使用上の安全性については考慮されていない。
本発明はこうした状況に鑑み、これらの課題を解決するジグヘッドを提供する。
【課題を解決するための手段】
【０００５】  釣針の針先部が軸部に対して上向き又は下向きの状態で、該軸部の基部が軸心が上下方向の錘に垂直に埋め込まれて、釣針と錘が一体となったジグヘッドであって、前記軸部の近傍に該軸部に平行で基部が前記錘に埋め込まれた餌保持用の２本の直線状の餌針を設けた餌針付きジグヘッドとする。
また、前記２本の餌針のいずれか一方又は両方に１ケ又は複数の餌抜止用のカエシを設け、該カエシが該餌針軸周りの位置において、対向する他方の餌針又は前記釣針軸部のいずれかの方向に向けて設けられた餌針付きジグヘッドとする。
また、前記釣針の軸部と前記２本の餌針とが前記錘の軸心を含む平面内にある餌針付きジグヘッドとする。
また、前記２本の餌針が、前記錘の軸心に垂直な平面内にある餌針付きジグヘッドとする。
また、前記軸心が鉛直な錘の上部及び下部に釣糸係止用環を設けた餌針付きジグヘッドとする。
また、ジグヘッドの錘の形状は球状が一般的であるが、このほかに本発明では、前記錘は、本体部が中心軸に垂直な断面において底辺が他の２辺より短辺の２等辺三角形の柱状で、該本体部前方に頂点を有する略三角錐の底面が前記本体部軸方向前部と段差なく結合した形状である餌針付きジグヘッドとする。
【発明の効果】
【０００６】  一般に釣り針に餌を取り付けるには、餌を針先に刺して約１８０度回しながら軸部まで刺し通す必要がある。本発明の請求項１によれば、２本の直線状の餌針に餌を直線的に刺せばよく餌の取り付けが容易である。また、２本の餌針で支えるので餌が餌針の回りに回転することを抑えることができ餌の姿勢保持ができる。
請求項２、請求項３によれば、２本の餌針の内少なくとも一か所以上のカエシを設けているのでエサの抜け止めができる。また、前記釣針の軸部と前記２本の餌針とが前記錘の軸心を含む平面内にあり、該餌針のカエシが該餌針軸周りにおいて、対向する他方の餌針又は前記釣針軸部のいずれかの方向に向けて設けたので、餌針に餌を取り付け又は取り外すとき、餌の横側をつまんで持ち、餌針に直線方向に刺し通し又は取り外すが、ジグヘッドの外周りすなわち、餌針の上、横、釣針軸部下側に触れてもカエシに触れることを防ぎ怪我する危険が少なく安全である。
請求項２、請求項４によれば、２本の餌針が、前記錘の軸心に垂直な平面内にあり、該餌針のカエシが軸周りの横側で該餌針に対向する方向に向けて設けられるので、餌針に餌を取り付け又は取り外すとき、餌の横側をつまんで持ち、餌針に直線方向に刺し通し又は取り外すが、ジグヘッドの外周りすなわち、餌針の上、横、釣針軸部下側に触れてもカエシに触れることを防ぎ怪我する危険が少なく安全である。
請求項５によれば、錘の上部及び下部に釣糸係止用環を設けたので、釣りの状況に合わせて針先を上向きの場合と下向きの場合の２種類の使い方ができる。
請求項６によれば、錘の形状をバケ型にしたので三角錐部の頂点を先頭にした直進性に優れることが期待できる。
【図面の簡単な説明】
【０００７】
【図１】実施例１の斜視図
【図２】同正面図
【図３】同平面図
【図４】同下面図
【図５】同左側面図
【図６】同右側面図
【図７】実施例２の斜視図
【図８】同正面図
【図９】実施例３の斜視図
【図１０】同正面図
【図１１】同平面図
【図１２】同下面図
【図１３】同左側面図
【図１４】同右側面図
【図１５】実施例４の斜視図
【図１６】同正面図
【図１７】実施例５の正面図
【図１８】同平面図
【図１９】同下面図
【図２０】同左側面図
【図２１】同右側面図
【図２２】実施例５の錘部の拡大図
【図２３】実施例１の針先を下にした使用例
【図２４】同針先を上にした使用例
【発明を実施するための形態】
【０００８】  本発明の詳細について図を用いて説明する。
図１〜図６に本発明の実施例１を示す。本例では球状の錘１４の軸心を鉛直に、釣針１１の軸部１１ｂを水平に針先部１１ａを下向きにした例で示しており、軸部１１ｂの基部は錘１４に軸心に垂直に埋め込まれ、釣針と錘が一体となったジグヘッドである。釣針の軸部１１ｂに平行に針先部１１ａ側から見て軸部１１ｂ側の外側に餌を取り付ける餌針１２を、さらに外側に餌針１３を錘１４の軸心を含む平面内に配置し、基部を錘１４に垂直に埋め込み固定する。
なお、本発明では、釣針の軸部と針先部を錘の軸心を含む鉛直な平面内にある形状で示したが、針先部を同平面に対して角度をつけたひねりと呼ばれる加工を施した釣針の場合も同様に扱うものとする。
また図において錘の形状を球状で説明しているが、本発明における錘の形状は球状に限らない。
【０００９】  ここで、釣針と錘の材質と一体化について説明する。釣針の材質は通常は炭素鋼、場合によりステンレス鋼などの金属材料が使われる。錘の材質は通常は鉛、場合によりタングステンや鉄などの材料が使われ、通常は鋳造によって釣針の軸部を埋め込んだ状態で一体成型される。釣針と錘は強固に固定されていればよく、ここでは錘内部の固定の構造については課題としない。
【００１０】  餌針１２及び餌針１３は先端が先鋭な針状の直線状の棒鋼で、基部は錘１４に埋め込まれて固定される。先端と基部との間に餌の抜け止めのため基部側に向けた突起状のカエシを設ける。２本の餌針のうちいずれか一方又は両方に少なくとも１ケ所以上のカエシを設ける。
【００１１】  本例ではそれぞれの餌針に２ケずつのカエシ、すなわち餌針１２に１２ａ、１２ｂ及び餌針１３に１３ａ、１３ｂを設けた例で示したが、これにこだわらなくともよく、すなわち、それぞれの餌針に１ケのカエシでもよいし、一方の餌針にカエシを設け他方はカエシを設けないことも含む。また、カエシの位置、カエシの大きさは、餌の種類と固定条件によって決めてよい。ただしカエシの軸周りの配置の方向は、指が触れて怪我することの無いように配慮することが必要である。
【００１２】  本例では、餌針１２のカエシ１２ａ、１２ｂを下向き釣針軸部方向に、餌針１３のカエシ１３ａ、１３ｂも同様に下向き釣針軸部方向に設けてある。餌を取り付けるとき、餌の横側を持って餌針に沿って取り付けるので、指はカエシを避けて操作でき安全である。餌を取り外すときは、餌の横側を持って下方に押し付けながら餌針に沿って餌をカエシから外す。例においてカエシ１２ａ、１２ｂを同じ方向にしたのでカエシからの取り外しが容易である。
本発明により、２本の餌針を設けたので餌は餌針の軸部周りに回ることなく餌の姿勢を保持し、また、適正なカエシを設けたことにより餌が抜け落ちることなく餌を安定して固定できる。
【００１３】  図は釣針の針先部１１ａを下向きにして使用する場合で示されている。同図において、錘の鉛直方向の軸心の上部に係止環１５を、下部に係止環１６を設ける。この使用状態では、釣り糸は係止環１５に繋いで使用される。下部の係止環１６は必要に応じて他の仕掛け類の係止に利用できる。
前記の上下を逆にして、釣針の針先部１１ａを上向きにして使用することができる。この時は錘の軸心の上部に係止環１６、下部は係止環１５となり、釣り糸は係止環１６に繋いで使用される。
【００１４】  上記は係止環１５、および係止環１６を錘１４に一体成型した場合を示したが、錘１４に軸方向内部に雌ねじを設け、これにおねじを施した係止環１５又は１６を着脱して使用することにより、針先部を下向き又は上向きにして使い分けることもできる。（図示せず）
【００１５】  図７、図８に本発明の実施例２を示す。本例は実施例１と同様、釣針の軸部１１ｂと餌針１２、１３が錘１４の軸心を含む平面内にある例であって、本例では、餌針１３にカエシを設けず、餌針１２に餌針１３に向けた２ケのカエシを設けた例である。カエシは１ケでもよく、カエシの位置、カエシの大きさなど餌の固定条件によって決めてよい。この例では餌を取り外すとき、餌の横側を持って上側に持ち上げてカエシから外し餌針から抜き取るので操作が容易である。
【００１６】  次に、図９〜図１４に本発明の実施例３を示す。本例は、餌針１２，１３が錘の軸心に垂直な平面内に設けられた例である。本例は、球状の錘１４の軸心を鉛直に、釣針の軸部１１ｂを水平に、針先部１１ａを下向きにした例で示しており、軸部１１ｂの基部は錘１４に埋め込まれ固定されている。
餌針１２と餌針１３を釣針の軸部１１ｂに平行に、針先部１１ａ側から見て軸部１１ｂ側の外側に、餌針１２と餌針１３が錘１４の軸心に垂直な水平面内に設けられ、それぞれの基部は錘１４に埋め込み固定される。
【００１７】  本図の例では、カエシは餌針のそれぞれに対向する餌針の方向に向けて設けられている。すなわち、餌針１２に餌針１３方向にカエシ１２ａ、１２ｂを、餌針１３に餌針１２方向にカエシ１３ａ、１３ｂを設けている。本例では水平な２本の餌針に直線的に餌を刺し通し容易に取り付けることができる。本例のようにカエシを対向して設けた場合は餌を取り外すとき、カエシから餌を外しずらい点もあるが餌を強固に固定できる特徴でもある。
本例では、２本の餌針の内１本にはカエシを設けずもう１本の方に他方の餌針の方向に向けてカエシを設けることもできる。すなわち、餌針１３にはカエシを設けず、カエシは餌１２に餌針１３の方向に向けて設ける。餌を取り外すとき、餌を餌針１３の方向に引いてカエシから外し餌針から抜き取る。この例では対向したカエシがないのでカエシから餌を外すのが容易である。本例では、ジグヘッドの外周りに触れてもカエシで怪我をすることがないように配慮されている。
【００１８】  図１５、図１６に本発明の実施例４を示す。本例は餌針１２、１３が軸部１１ｂに対して針先部側に設けられた例である。本例は、球状の錘１４の軸心を鉛直に、釣針の軸部１１ｂを水平に、針先部１１ａを下向きにした例で示している。
餌針１２と餌針１３を釣針の軸部１１ｂに平行に、軸部１１ｂに対して針先部１１ａ側に、軸部１１ｂと餌針１２、餌針１３が錘１４の軸心を含む平面内に設けられている。
本例では、餌針１２のカエシ１２ａ、１２ｂを上向き釣針軸部方向に、餌針１３のカエシ１３ａ、１３ｂも同様上向き釣針軸部方向に設けてある。餌を取り付け又は取り外すとき、餌の横側を持って餌針の横側に沿って着脱するので、指はカエシを避けて操作でき安全である。
【００１９】  図１７〜図２１に本発明の実施例５を示す。錘１４をバケ型の錘とした例である。図２２にバケ型錘１７の詳細を示す。
バケ型錘１７は、図に示すように、本体部１７Ａが水平方向中心軸に垂直な断面において、底辺１７ｂが他の２辺１７ａ、１７ａより短辺の２等辺三角形の柱状で、該本体部前方に頂点１７ｅを有する略三角錐１７Ｂ（１７ｃ、１７ｃ、１７ｄ）の底面が前記本体部１７Ａ軸方向前部と段差なく結合した形状である。本例では釣り糸は係止環１５に繋がれ、係止環１６は他の仕掛け類の係止に用いられる。本例は三角錐部の頂点を先頭に直進性に優れることが期待できる。
【００２０】  次に餌２１が取り付けられた例を示す。図２３は実施例１の針先部１１ａが下向きの場合に小魚の餌２１を取り付けた状況の例を示す。図２４は実施例１の針先が上向きの場合に餌２１を取り付けた状況の例を示す。餌は魚介類等の生餌であってもワームなどの擬似餌であってもよい。
【符号の説明】
【００２１】１  実施例１
２  実施例２
３  実施例３
４  実施例４
５  実施例５
１１  釣針
１１ａ  針先部
１１ｂ  軸部
１２  餌針
１２ａ、１２ｂ  餌針１２のカエシ
１３  餌針
１３ａ、１３ｂ  餌針１３のカエシ
１４  錘
１５  係止用環
１６  係止用環
１７  バケ型錘
２１  餌
【図１】
2013111076.tif 000003
【図２】
2013111076.tif 000004
【図３】
2013111076.tif 000005
【図４】
2013111076.tif 000006
【図５】
2013111076.tif 000007
【図６】
2013111076.tif 000008
【図７】
2013111076.tif 000009
【図８】
2013111076.tif 000010
【図１５】
2013111076.tif 000011
【図１６】
2013111076.tif 000012
【図９】
2013111076.tif 000013
【図１０】
2013111076.tif 000014
【図１１】
2013111076.tif 000015
【図１２】
2013111076.tif 000016
【図１３】
2013111076.tif 000017
【図１４】
2013111076.tif 000018
【図１７】
2013111076.tif 000019
【図１８】
2013111076.tif 000020
【図１９】
2013111076.tif 000021
【図２０】
2013111076.tif 000022
【図２１】
2013111076.tif 000023
【図２２】
2013111076.tif 000024
【図２３】
2013111076.tif 000025
【図２４】
2013111076.tif 000026